(57)【要約】【課題】水中撮影において撮影者が特別な装置を用いなくてもピント位置やモニタ画面に表示される各種情報を良好に視認できるデジタルカメラを提供する。【解決手段】Ｓ４では、ＣＰＵ１００は、Ｓ３で算出した深度に対応する色情報をＲＯＭ１０２に記憶された色情報テーブルに基づいて決定する。Ｓ６では、表示部１１４は、Ｓ４で決定した色情報に含まれるＲＧＢ値に基づいて表示オブジェクトを表示する。Ｓ４で決定した色情報に基づいて表示させる表示オブジェクトは、撮影に関する情報を示すものであれば何でもよく、例えばピント位置を示すフォーカスフレームや、シャッタ速度や絞り値、撮影可能枚数、撮影日時、警告メッセージ等などの各種通知を行うアイコンや文字である。【選択図】  図３
2005328226.tif 000002
【特許請求の範囲】
【請求項１】
撮影に関する情報を示すオブジェクト及び被写体のスルー画像又は再生画像を表示する表示手段と、
撮影環境が水中であることを検知する検知手段と、
水深を算出する水深算出手段と、
各水深において前記オブジェクトの視認を良好にする設定内容を各水深に対応させて記憶する設定記憶部と、
前記検知に応じて前記算出された水深に対応する設定内容に基づいて前記オブジェクトを表示させる表示制御手段と、
を備えるデジタルカメラ。
【請求項２】
前記設定内容は水深の変化に応じた光の吸収率の変化に起因するカラーバランスの崩れを補正する設定内容である請求項１に記載のデジタルカメラ。
【請求項３】
前記水深と前記設定内容との対応は水深の増加に応じて彩度が増加する関係である請求項２に記載のデジタルカメラ。
【請求項４】
前記設定内容は各色を表現するＲＧＢ値である請求項３に記載のデジタルカメラ。
【請求項５】
前記オブジェクトはフォーカスフレームである請求項１〜４のいずれかに記載のデジタルカメラ。
【請求項６】
前記オブジェクトは撮影に関する情報を通知する文字又はアイコンである請求項１〜４のいずれかに記載のデジタルカメラ。
【発明の詳細な説明】
【技術分野】
【０００１】
本発明はデジタルカメラに係り、特に水中撮影に使用されるデジタルカメラに関する。
【背景技術】
【０００２】
従来、水中で使用されるデジタルカメラにおいて、被写体確認を容易にする技術が様々考案されている。例えば、特許文献１によると、互いに平行な複数の楔状直線溝からなる円板プリズムと、該プリズムに設けた揺動軸を介して該プリズムを揺動可能に支持した円環状プリズム支持体と、該プリズム支持体を回動可能に支持する円環状部と取り付け用の方形枠状部とを有するベース部とで表示アダプタを構成し、表示アダプタを、電子カメラ本体の背面部のＬＣＤ表示部に被せるようにして電子カメラに装着する。この技術によると、画像表示部の表示をハイアングルやローアングル更にはサイドからなどの広範囲の方向からの視認を容易にできる。
【特許文献１】特開２００２−３５９７６０号公報
【発明の開示】
【発明が解決しようとする課題】
【０００３】
ところで、水中撮影では、陸上に比べて撮影動作が困難である。即ち、水中という暗い環境では、モニタに表示される文字やマーク、例えばピント位置を示すフォーカスフレームを視認しにくいため、被写体のどこにピントを合わせているのかを確認しにくく、フォーカス合わせのミスが生じやすい。同様の理由で撮影警告アイコンなども視認しにくく、撮影アシスト機能を有効に活用することが難しい。特許文献１では、表示内容の確認を容易にするためには表示アダプタを着脱する必要があるが、水流で撮影者の体のバランスが取りにくい水中でこの着脱動作を要求するのは撮影者にとって負担となる。本発明はこのような問題点に鑑みてなされたもので、水中撮影において撮影者が特別な装置を用いなくてもピント位置やモニタ画面に表示される各種情報を良好に視認できるデジタルカメラを提供することを目的とする。
【課題を解決するための手段】
【０００４】
上述の課題を解決するため、請求項１に係る発明は、撮影に関する情報を示すオブジェクト及び被写体のスルー画像又は再生画像を表示する表示手段と、撮影環境が水中であることを検知する検知手段と、水深を算出する水深算出手段と、各水深において前記オブジェクトの視認を良好にする設定内容を各水深に対応させて記憶する設定記憶部と、前記検知に応じて前記算出された水深に対応する設定内容に基づいて前記オブジェクトを表示させる表示制御手段と、を備えるデジタルカメラを提供する。
【０００５】
この発明によると、算出された水深に対応する設定内容に基づいてオブジェクトの視認を良好にするようにオブジェクトを表示させるため、水中撮影時に水深が深くなってもピント位置を示すフォーカスフレームやモニタ画面に表示される各種情報などのオブジェクトの視認性を自動的に良好にすることができる。
【０００６】
請求項２に係る発明は、前記設定内容は水深の変化に応じた光の吸収率の変化に起因するカラーバランスの崩れを補正する設定内容である請求項１に記載のデジタルカメラを提供する。
【０００７】
この発明によると、水深に応じてオブジェクトのカラーバランスの崩れを補正することができる。
【０００８】
請求項３に係る発明は、前記水深と前記設定内容との対応は水深の増加に応じて彩度が増加する関係である請求項２に記載のデジタルカメラを提供する。
【０００９】
この発明によると、水深に応じて彩度を増加させてオブジェクトの視認性を高めることができる。
【００１０】
請求項４に係る発明は、前記設定内容は各色を表現するＲＧＢ値である請求項３に記載のデジタルカメラを提供する。
【００１１】
請求項５に係る発明は、前記オブジェクトはフォーカスフレームである請求項１〜４のいずれかに記載のデジタルカメラを提供する。
【００１２】
請求項６に係る発明は、前記オブジェクトは撮影に関する情報を通知する文字又はアイコンである請求項１〜４のいずれかに記載のデジタルカメラを提供する。
【発明の効果】
【００１３】
この発明によると、算出された水深に対応する設定内容に基づいてオブジェクトの視認を良好にするようにオブジェクトを表示させるため、水中撮影時に水深が深くなってもピント位置を示すフォーカスフレームやモニタ画面に表示される各種情報などのオブジェクトの視認性を自動的に良好にすることができる。
【発明を実施するための最良の形態】
【００１４】
以下、添付した図面を参照し本発明の好ましい実施の形態を説明する。
【００１５】
［概略構成］
図１は、本発明の好ましい実施形態に係るデジタルカメラ１０の内部の概略構成を示すブロック図である。同図において、ＣＰＵ１００は、本カメラシステムの各回路を統括制御する制御部であり、ＲＯＭ１０２及びＲＡＭ１０４等の記憶手段を備えている。ＲＯＭ１０２には、ＣＰＵ１００が処理するプログラム及び制御に必要な各種データ等が格納され、ＲＡＭ１０４は、ＣＰＵ１００が各種の演算処理等を行う際の作業用エリアとして利用される。ＲＯＭ１０２はデータの消去／書き込みが可能なフラッシュＲＯＭで構成される。
【００１６】
さらに、ＲＯＭ１０２には、色情報テーブルが記憶されている。図２は色情報テーブルに含まれる情報の概念説明図である。色情報テーブルは、深度と色情報とを対応させている。深度は、水圧センサ１２１から検知された水圧に基づいてＣＰＵ１００が算出した深度に対応する値である。色情報は、水中の深度変化によって光吸収率が変化することに起因する表示オブジェクト（後述）のカラーバランスの崩れを補正し、深度に応じて表示オブジェクトの視認を好適にするための設定内容を規定する情報である。図２では一例として、色情報は、鮮やかさとその鮮やかさを表現する各色のＲＧＢ値とを対応させている。鮮やかさは、モニタ３０の表示色の彩度を数値化したものである。この図では、深度が深くなるほど鮮やかさの値が大きくなるようにＲＧＢ値が設定されている。色１（赤系）、色２（緑系）、色３（青系）は、モニタ３０の表示色の一部を示しているが、具体的にはこの色を対応する彩度で表現するためのＲＧＢ値である。なお、モニタ３０の表示色並びにその色のＲＧＢ値は図示された内容に限定する必要はなく、その他の色を表現するＲＧＢ値を色情報に含めてもよい。また、色情報は、色相、彩度若しくは明度又はこれらの組み合わせを数値化した値と、その値で規定される色相、彩度若しくは明度等を表現する各色のＲＧＢ値とを対応させていてもよい。さらに、この例では、各深度に対応して色１、色２、色３のＲＧＢ値が一律に変化するような設定内容となっているが、各色によってＲＧＢ値が変化する深度を変えてもよい。例えば、赤い波長の光は水に吸収されやすく青の波長の光は吸収されにくいことから、赤系の色は水深の変化に応じてＲＧＢ値を急激に変化させるようにする一方、青系の色は水深の変化に応じてＲＧＢ値を緩やかに変化させるようにしてもよい。
【００１７】
ＣＰＵ１００は、レリーズボタン、電源ボタン、ストロボボタン、マクロボタン、ズームレバー、表示ボタン、ＢＡＣＫボタン、マークボタン、メニュー／ＯＫボタン、十字ボタン、モードスイッチ等からなる操作部１０６から出力された操作信号に基づき対応する回路の動作を制御し、レンズ駆動制御、撮影動作制御、画像処理制御、画像データの記録／再生制御、モニタ３０の表示制御などを行うとともに、自動露出（ＡＥ）演算、自動焦点調節（ＡＦ）演算、ホワイトバランス（ＷＢ）調整演算などの各種演算処理を実行する。
【００１８】
レンズ１４を通過した光は、ＣＣＤイメージセンサ（ＣＣＤ）１０８に入射する。ＣＣＤ１０８の受光面には、フォトセンサが平面的に配列されており、レンズ１４を介してＣＣＤ１０８の受光面に結像された被写体の光学像は、各フォトセンサによって入射光量に応じた量の信号電荷に変換される。各フォトセンサに蓄積された信号電荷は、図示しないタイミングジェネレータから与えられる駆動パルスに基づいて信号電荷に応じた電圧信号（画像信号）として順次読み出され、アナログ信号処理部１１０に送られる。
【００１９】
アナログ信号処理部１１０は、サンプリングホールド回路、色分離回路、ゲイン調整回路、Ａ／Ｄ変換器等の信号処理回路を含み、このアナログ信号処理部１１０で入力された画像信号が、相関二重サンプリング処理並びにＲ、Ｇ、Ｂの各色信号に色分離処理され、各色信号の信号レベルの調整（プリホワイトバランス処理）が行われる。そして、デジタルの画像信号に変換されてＲＡＭ１０４に格納される。
【００２０】
ＲＡＭ１０４に格納された画像信号は、画像信号処理部１１２に送られる。画像信号処理部１１２は、輝度・色差信号生成回路、ガンマ補正回路、シャープネス補正回路、コントラスト補正回路、ホワイトバランス補正回路等を含むデジタルシグナルプロセッサ（ＤＳＰ）で構成され、ＣＰＵ１００からのコマンドに従って入力された画像信号を処理する。この画像信号処理部１１２に入力された画像信号は、輝度信号（Ｙ信号）及び色差信号（Ｃr,Ｃb 信号）に変換されるとともに、ガンマ補正等の所定の処理が施された後、ＲＡＭ１０４に格納される。ＲＡＭ１０４に格納された画像データは、表示部１１４に入力される。表示部１１４は入力された画像データを表示用の所定方式の信号（例えば、ＮＴＳＣ方式のカラー複合映像信号）に変換してモニタ３０に出力する。
【００２１】
ＣＣＤ１０８から出力される画像信号によってＲＡＭ１０４内の画像データが定期的に書き換えられ、その画像データから生成される映像信号がモニタ３０に供給されることにより、ＣＣＤ１０８を介して入力される画像がリアルタイムにモニタ３０に表示される。撮影者は、このモニタ３０に映し出される画像（スルー画像）によって撮影画角を確認することができる。
【００２２】
なお、表示部１１４は、ＯＳＤ信号発生回路を含み、ＯＳＤ信号発生回路はＣＰＵ１００からのコマンドに従ってシャッタ速度や絞り値、撮影可能枚数、撮影日時、警告メッセージ等の文字及び記号情報（以下、表示オブジェクトという）を表示するための信号を発生させる。このＯＳＤ信号発生回路から出力される信号は、必要に応じて画像信号に混合されて、モニタ３０に供給される。これにより、スルー画像や再生画像に表示オブジェクトが合成された合成画像が表示される。
【００２３】
モードスイッチにてカメラのモードが撮影モードに設定されると、デジタルカメラ１０は撮影が可能になる。この状態でレリーズボタンが半押しされると、ＣＰＵ１００にＳ１ＯＮ信号が発せられる。ＣＰＵ１００は、このＳ１ＯＮ信号を検知して、ＡＥ、ＡＦ動作を実行する。すなわち、ＣＰＵ１００は、被写体にピントが合うように、図示しないレンズ駆動部を制御するとともに、被写体の明るさを測定し、適正露出となるように絞り値とシャッタ速度を決定する。
【００２４】
この後、レリーズボタンが全押しされると、ＣＰＵ１００にＳ２ＯＮ信号が発せられ、ＣＰＵ１００は、このＳ２ＯＮ信号を検知して、記録動作を実行する。すなわち、レリーズボタンの半押し時に決定した絞り値、シャッタ速度となるように、図示しない絞り駆動部及びＣＣＤ１０８の電子シャッタを制御し、画像の取り込みを行なう。
【００２５】
こうしてレリーズボタンの全押し操作に応動して、記録用の画像データの取り込みが開始され、ＣＣＤ１０８から出力された１コマ分の画像信号が、アナログ信号処理部１１０を介してＲＡＭ１０４に取り込まれる。ＲＡＭ１０４に取り込まれた画像信号は、画像信号処理部１１２で所定の信号処理が施された後、再びＲＡＭ１０４に格納され、画像記録部１１６に送られる。
【００２６】
画像記録部１１６は、圧縮伸張処理回路を含み、圧縮伸張処理回路はＣＰＵ１００からのコマンドに従って入力された画像データをＪＰＥＧその他の所定の形式に従って圧縮する。圧縮された画像データは、メディアインターフェース（メディアＩ／Ｆ）１１８を介して所定フォーマットの画像ファイルとして記録メディア１２０に記録される。なお、記録メディア１２０としては、ｘＤピクチャーカード、スマートメディア、コンパクトフラッシュ、磁気ディスク、光ディスク、光磁気ディスク、メモリスティックなどのカメラボディに対して着脱可能なリムーバブルメディアの他、カメラボディに内蔵された記録メディア（内部メモリ）であってもよい。
【００２７】
モードスイッチにて再生モードが選択されると、記録メディア１２０に記録された画像の再生が可能になる。モードスイッチが再生モードに設定されると、記録メディア１２０に最後に記録された画像ファイルの画像データを読み出す。読み出された画像データは、画像記録部１１６にて所要の伸張処理が施されたのち、表示部１１４を介してモニタ３０に出力される。これにより、記録メディア１２０に記録された画像の閲覧が可能になる。
【００２８】
画像のコマ送りは、十字ボタンで行なわれ、十字ボタンの右キーが押されると、次の画像ファイルが記録メディア１２０から読み出され、モニタ３０に再生表示される。また、十字ボタンの左キーが押されると、前の画像ファイルが記録メディア１２０から読み出され、モニタ３０に再生表示される。
【００２９】
また、デジタルカメラ１０は、ホスト機器へのＵＳＢ接続をトリガとして、その動作モードを通信モードに移行する。通信モードとしては、パーソナルコンピュータ（ＰＣ）に接続されて、ＰＣからリムーバブルディスク（マスストレージデバイス）として認識させる「ＰＣモード」と、プリンタに接続されて、プリンタに対して記録メディア１２０に記録されている画像をプリントさせる「ダイレクトプリントモード」とを備えている。通信制御部１２２は、設定された通信モードの下で所定のコマンド形式に従ったデータの送受信を行なう。
【００３０】
デジタルカメラ本体１０は水中ハウジング１１に収納されることで防水され、水中での撮影が可能である。水中ハウジング１１には水圧センサ１２１が設けられており、水中ハウジング１１に加わる水圧を検知する。水中判定部１２３は、水圧センサ１２１の値を検知し、この値に基づいて現在デジタルカメラ１０が水中にあるか否かを判断する。一例として、水中判定部１２３は、水圧が１．２気圧を超えるとき、即ちデジタルカメラ１０が水深約２ｍの所にあるとき、水中にあると判断する。一方、水中判定部１２３は、水圧が１．２気圧以下であるとき、水中にない（即ち陸上にある）と判断する。
【００３１】
［デジタルカメラの実行する処理］
次に、図３のフローチャートに基づき、デジタルカメラ１０の実行する処理を説明する。この処理は、デジタルカメラ１０が使用されている水中の深度に応じてモニタ３０に表示する表示オブジェクトの色を変化させて見やすくする。
【００３２】
Ｓ１では、水圧センサ１２１が水中ハウジング１１に加わる水圧を検知する。Ｓ２では、水中判定部１２３は、水圧センサ１２１の値を検知し、この値に基づいて現在デジタルカメラ１０が水中にあるか否かを判断する。水中にある場合はＳ３に移行し、水中にない場合はＳ１に戻って再び水圧の検知を続行する。Ｓ３では、Ｓ２で検知した水圧に基づいて深度を算出する。深度は水圧から算出でき、例えば略１気圧＝１０ｍに換算することで求めることができる。
【００３３】
Ｓ４では、ＣＰＵ１００は、Ｓ３で算出した深度に対応する色情報をＲＯＭ１０２に記憶された色情報テーブルに基づいて決定する。例えば、現在の深度が５メートル以上１０メートル未満である場合、この深度に対応する色情報は、鮮やかさ１７５であり、色１、色２、色３のＲＧＢ値はそれぞれ（２１５，４１，４１）、（２０，１０８，２０）、（４１，４１，２１５）である。決定された色情報はＲＡＭ１０４に一時記憶される。
【００３４】
Ｓ５では、表示部１１４は、Ｓ４で決定した色情報が現在使用している色情報と異なるか否かを判断する。異なる場合はＳ６に移行し、同一の場合はＳ１に戻り再び水圧を検知する。Ｓ６では、表示部１１４は、Ｓ４で決定した色情報に含まれるＲＧＢ値に基づいて表示オブジェクトをモニタ３０に表示し、この後処理は再びＳ１に戻る。なお、Ｓ４で決定した色情報に基づいて表示させる表示オブジェクトは、撮影に関する情報を示すものであれば何でもよく、例えばピント位置を示すフォーカスフレームや、シャッタ速度や絞り値、撮影可能枚数、撮影日時、警告メッセージ等などの各種通知を行うアイコンや文字である。
【００３５】
なお、上述の処理ステップＳ１〜６をデジタルカメラ１０に実行させるプログラムはＲＯＭ１０２に記憶されている。
【００３６】
以上の処理により、水中撮影時は、ユーザがいちいち特別な操作をしなくても、各深度において表示オブジェクトの視認を好適にする設定内容で表示オブジェクトが表示されるため、暗い水中でも表示オブジェクトの良好な視認性を確保させることができる。なお、ステップＳ５で、現在の深度と所定の閾値とを比較し、現在の深度が閾値を超える場合はＳ６に移行し、閾値を超えない場合はＳ１に戻るようにしてもよい。このようにすれば、水深が閾値を超えるときに限り色情報を変化させることができる。
【図面の簡単な説明】
【００３７】
【図１】本発明の好ましい実施形態に係るデジタルカメラのブロック構成図
【図２】色情報テーブルの概念説明図
【図３】デジタルカメラの実行する処理の流れを示すフローチャート
【符号の説明】
【００３８】
１０：デジタルカメラ、３０：モニタ、１１４：表示部、１２１：水圧センサ、１２３：水中判定部
【図１】
2005328226.tif 000003
【図２】
2005328226.tif 000004
【図３】
2005328226.tif 000005